(57)【要約】  計量システムであり、照明ビームを生成するよう構成された照明源と、その照明ビームをサンプルに差し向けるよう構成された１個又は複数個の照明光学系と、そのサンプルに発する照明を集光するよう構成された１個又は複数個の集光光学系と、検出器と、ハイパースペクトルイメージングサブシステムとを有する。そのハイパースペクトルイメージングサブシステムが、上記一組の集光光学系の瞳面に配置されており集光された照明をスペクトル分散させるよう構成されている分散素子と、集束素子のアレイを有するレンズアレイと、１個又は複数個のイメージング光学系とを有する。その１個又は複数個のイメージング光学系が、集光されスペクトル分散された照明を結合させることでレンズアレイ上に瞳面の像を形成させる。レンズアレイを構成する集束素子が、集光された照明を検出器上にアレイ状パターンの態で分布させる。
2019504325.tif 000002
【特許請求の範囲】
【請求項１】
照明ビームを生成するよう構成された照明源と、
その照明ビームをサンプルに差し向けるよう構成された１個又は複数個の照明光学系と、
そのサンプルに発する照明を集光するよう構成された１個又は複数個の集光光学系と、
検出器と、
ハイパースペクトルイメージングサブシステムと、
を備え、そのハイパースペクトルイメージングサブシステムが、
上記１個又は複数個の集光光学系の瞳面に配置されており、集光された照明をスペクトル分散させるよう構成されている分散素子と、
集束素子のアレイを有するレンズアレイと、
集光されスペクトル分散された照明同士を結合することでそのレンズアレイ上に上記瞳面の像を形成させる１個又は複数個のイメージング光学系と、
を備え、上記レンズアレイに備わる集束素子が、集光された照明を上記検出器上にアレイ状パターンの態で分布させる計量システム。
【請求項２】
請求項１に記載の計量システムであって、上記検出器上のアレイ状パターンがスペクトル分散されている計量システム。
【請求項３】
請求項２に記載の計量システムであって、上記アレイ状パターンの第１部分、即ち集光された照明のうち第１波長に係る部分が、そのアレイ状パターンの第２部分、即ち集光された照明のうち第２波長に係る部分に対し、空間的にずれる計量システム。
【請求項４】
請求項３に記載の計量システムであって、上記アレイ状パターンの第１部分と、そのアレイ状パターンの第２部分とが、非重複分布の態で上記検出器上に空間分布する計量システム。
【請求項５】
請求項１に記載の計量システムであって、上記ハイパースペクトルイメージングサブシステムが、更に、
上記サンプルに対し共役な平面に配置されたフィルタを備え、当該サンプルに対し共役なその平面がそのサンプルのスペクトル分散像に関連付けられており、そのフィルタが、集光された照明のうち指定部分を通過させる計量システム。
【請求項６】
請求項５に記載の計量システムであって、上記フィルタが、集光された照明の空間的拡がりを制限する空間フィルタを有する計量システム。
【請求項７】
請求項５に記載の計量システムであって、上記フィルタが空間光変調器を有する計量システム。
【請求項８】
請求項１に記載の計量システムであって、上記レンズアレイが一次元レンズアレイを有する計量システム。
【請求項９】
請求項８に記載の計量システムであって、上記レンズアレイが円柱レンズアレイを有する計量システム。
【請求項１０】
請求項１に記載の計量システムであって、上記レンズアレイが二次元レンズアレイを有する計量システム。
【請求項１１】
請求項１に記載の計量システムであって、上記分散素子が、
回折格子を備える計量システム。
【請求項１２】
請求項１１に記載の計量システムであって、上記回折格子が、
ブレーズド回折格子、刻線回折格子及びホログラフィック回折格子のうち少なくとも１個を備える計量システム。
【請求項１３】
請求項１に記載の計量システムであって、上記分散素子が、
音響光変調器を備える計量システム。
【請求項１４】
請求項１に記載の計量システムであって、上記照明源が、
超広帯域レーザ光源を備える計量システム。
【請求項１５】
一組の集光光学系の瞳面に配置しうるよう構成された分散素子であり、サンプルに発する照明を集光するよう当該一組の集光光学系が構成されており、その集光された照明をスペクトル分散させるよう構成されている分散素子と、
集束素子のアレイを有するレンズアレイと、
上記スペクトル分散された一組の波長同士を結合させることでそのレンズアレイ上に上記瞳面をイメージングする１個又は複数個のイメージング光学系と、
を備え、上記レンズアレイに備わる集束素子が、集光された照明をアレイ状パターンの態で分布させるよう構成されているハイパースペクトルイメージング装置。
【請求項１６】
請求項１５に記載のハイパースペクトルイメージング装置であって、上記アレイ状パターンがスペクトル分散されているハイパースペクトルイメージング装置。
【請求項１７】
請求項１６に記載のハイパースペクトルイメージング装置であって、上記アレイ状パターンの第１部分、即ち集光された照明のうち第１波長に係る部分が、そのアレイ状パターンの第２部分、即ち集光された照明のうち第２波長に係る部分に対し、空間的にずれるハイパースペクトルイメージング装置。
【請求項１８】
請求項１７に記載のハイパースペクトルイメージング装置であって、上記アレイ状パターンの第１部分と、そのアレイ状パターンの第２部分とが、非重複分布の態で空間分布するハイパースペクトルイメージング装置。
【請求項１９】
請求項１５に記載のハイパースペクトルイメージング装置であって、そのハイパースペクトルイメージング装置が、更に、
上記サンプルに対し共役な平面上に配置されたフィルタを備え、当該サンプルに対し共役な平面がそのサンプルのスペクトル分散像に係る平面であり、そのフィルタが、集光された照明のうち指定部分を通過させるハイパースペクトルイメージング装置。
【請求項２０】
請求項１９に記載のハイパースペクトルイメージング装置であって、上記フィルタが、集光された照明の拡がりを制限する空間フィルタを有するハイパースペクトルイメージング装置。
【請求項２１】
請求項１９に記載のハイパースペクトルイメージング装置であって、上記フィルタが空間光変調器を有するハイパースペクトルイメージング装置。
【請求項２２】
請求項１５に記載のハイパースペクトルイメージング装置であって、上記レンズアレイが一次元レンズアレイを有するハイパースペクトルイメージング装置。
【請求項２３】
請求項２２に記載のハイパースペクトルイメージング装置であって、上記レンズアレイが円柱レンズアレイを有するハイパースペクトルイメージング装置。
【請求項２４】
請求項１５に記載のハイパースペクトルイメージング装置であって、上記レンズアレイが二次元レンズアレイを有するハイパースペクトルイメージング装置。
【請求項２５】
請求項１５に記載のハイパースペクトルイメージング装置であって、上記分散素子が、
回折格子を備えるハイパースペクトルイメージング装置。
【請求項２６】
請求項２５に記載のハイパースペクトルイメージング装置であって、上記回折格子が、
ブレーズド回折格子、刻線回折格子及びホログラフィック回折格子のうち少なくとも１個を備えるハイパースペクトルイメージング装置。
【請求項２７】
請求項１５に記載のハイパースペクトルイメージング装置であって、上記分散素子が、
音響光変調器を備えるハイパースペクトルイメージング装置。
【請求項２８】
照明ビームを生成するよう構成された照明源と、
その照明ビームをサンプルに差し向けるよう構成された１個又は複数個の照明光学系と、
そのサンプルに発する照明を集光するよう構成された１個又は複数個の集光光学系と、
一組の瞳像を生成するハイパースペクトルイメージングサブシステムであり、その一組の瞳像に含まれる個別の瞳像により、ある特定のスペクトル波長域を有する上記１個又は複数個の集光光学系により集光された照明の角度分布が体現されるハイパースペクトルイメージングサブシステムと、
上記一組の瞳像を捉えるよう構成された検出器と、
を備える計量システム。
【請求項２９】
請求項２８に記載の計量システムであって、上記一組の瞳像のうち第１瞳像が第１画像セグメントアレイを有し、当該一組の瞳像のうち第２瞳像が第２画像セグメントアレイを有し、その第１画像セグメントアレイが上記検出器上で少なくとも第２画像セグメントアレイで以て補間される計量システム。
【請求項３０】
請求項２８に記載の計量システムであって、上記個別の瞳像を構成する特定のスペクトル波長域同士が非重複である計量システム。
【請求項３１】
一組の集光光学系によりサンプルから照明を集光するステップと、
集光された照明を分散素子によりスペクトル分散させるステップであり、その分散素子が上記一組の集光光学系の瞳面に配置されたものであるステップと、
集束素子のアレイを有するレンズアレイ上にその瞳面の像を生成するステップであり、集光されスペクトル分散された一組の照明同士を結合することでその瞳面の像を形成させるステップと、
集光された照明をアレイ状パターンの態で分布させるステップと、
を有する方法。
【請求項３２】
請求項３１に記載の方法であって、集光された照明をアレイ状パターンの態で分布させるステップが、
集光された照明をスペクトル分散されたアレイ状パターンの態で分布させるステップを有する方法。
【請求項３３】
請求項３１に記載の方法であって、更に、
集光された照明をサンプルに対し共役な平面にてフィルタリングし、集光された照明のうち指定部分を通過させるステップを有する方法。
【発明の詳細な説明】
【技術分野】
【０００１】
本件開示は総じて計量に関し、より具体的にはハイパースペクトルイメージング計量に関する。
【背景技術】
【０００２】
（関連出願への相互参照）
本願は、「オーバレイスキャタロメトリにおけるハイパースペクトルイメージング」(HYPER SPECTRAL IMAGING IN OVERLAY SCATTEROMETRY)と題しＡｎｄｒｅｗ  Ｖ．  Ｈｉｌｌを発明者とする２０１６年２月２日付米国暫定特許出願第６２／２９０，１５７号に基づき米国特許法第１１９条（ｅ）の規定による利益を主張する出願であるので、当該米国暫定特許出願の全容をこの参照を以て本願に繰り入れることにする。
【０００３】
本願は、「ハイパースペクトルイメージング計量システム及び方法」(SYSTEM AND METHOD FOR HYPERSPECTRAL IMAGING METROLOGY)と題しＡｎｄｒｅｗ  Ｖ．  Ｈｉｌｌを発明者とする２０１６年７月２１日付米国仮特許出願第６２／３６５，１２０号に基づき米国特許法第１１９条（ｅ）の規定による利益を主張する出願であるので、当該米国暫定特許出願の全容をこの参照を以て本願に繰り入れることにする。
【０００４】
スキャタロメトリ（散乱計測）計量システムによれば、サンプルの像を計測するのに代え及び／又は加え、そのサンプルから散乱、反射又は回折されてきた光学的輻射（例．光）のパターンを計測及び分析することで、半導体ウェハ上のフィーチャ（特徴）のサイズ、形状又は分布を、解明することができる。計量システムにより検出される散乱、反射又は回折光のパターンには、そのウェハ上の独特なフィーチャだけでなく、そのウェハ上に入射した光の波長も影響しうる。ひいては、特定ウェハからの散乱、反射又は回折光がなすそうしたパターンの感度が、光の入射波長によって変わりうる。
【先行技術文献】
【特許文献】
【０００５】
【特許文献１】米国特許出願公開第２０１２／０２１８５４７号
【特許文献２】米国特許出願公開第２０１１／００６９２９２号
【特許文献３】米国特許出願公開第２０１０／０３２８６５９号
【発明の概要】
【発明が解決しようとする課題】
【０００６】
複数の光波長で以てウェハを特性解明することが望ましかろう。しかしながら、複数通りのスキャタロメトリ計測結果を生成する通常の手法では、単一計測の場合に比し計測結果捕捉時間が長くなり、及び／又は、各回計測に係る光量が減少する。従って、欠陥例えば上掲のそれを治癒するシステム及び方法を提供することが望ましかろう。
【課題を解決するための手段】
【０００７】
本件開示の１個又は複数個の例証的実施形態に係る計量システムが開示される。ある例証的実施形態に係る計量システムは、照明ビームを生成するよう構成された照明源を有する。また、ある例証的実施形態に係る計量システムは、その照明ビームをサンプルに差し向けるよう構成された１個又は複数個の照明光学系を有する。また、ある例証的実施形態に係る計量システムは、そのサンプルに発する照明を集光するよう構成された１個又は複数個の集光光学系を有する。また、ある例証的実施形態に係る計量システムは検出器を有する。また、ある例証的実施形態に係る計量システムはハイパースペクトルイメージングサブシステムを有する。また、ある例証的実施形態では、そのハイパースペクトルイメージングサブシステムが、上記一組の集光光学系の瞳面に配置されていて、集光された照明をスペクトル分散させるよう構成されている分散素子を、有する。また、ある例証的実施形態では、そのハイパースペクトルイメージングサブシステムが、集束素子のアレイを有するレンズアレイを有する。また、ある例証的実施形態では、そのハイパースペクトルイメージングサブシステムが１個又は複数個のイメージング光学系を有する。また、ある例証的実施形態では、その１個又は複数個のイメージング光学系が、集光されスペクトル分散された照明同士を結合することで、レンズアレイ上に瞳面の像を形成させる。また、ある例証的実施形態では、レンズアレイに備わる集束素子が、集光された照明を検出器上にアレイ状パターンの態で分布させる。
【０００８】
本件開示の１個又は複数個の例証的実施形態に係るハイパースペクトルイメージング装置が開示される。ある例証的実施形態に係るハイパースペクトルイメージング装置は、一組の集光光学系の瞳面に配置しうるよう構成された分散素子を有する。また、ある例証的実施形態では、その一組の集光光学系が、サンプルに発する照明を集光するよう構成される。また、ある例証的実施形態では、その分散素子が、集光された照明をスペクトル分散させるよう構成される。また、ある例証的実施形態に係るハイパースペクトルイメージング装置は、集束素子のアレイを有するレンズアレイを有する。また、ある例証的実施形態に係るハイパースペクトルイメージング装置は、１個又は複数個のイメージング光学系を有する。また、ある例証的実施形態では、その１個又は複数個のイメージング光学系が、スペクトル分散された一組の波長同士を結合させることで瞳面をレンズアレイ上にイメージングする。また、ある例証的実施形態では、そのレンズアレイに備わる集束素子が、集光された照明をアレイ状パターンの態で分布させるよう構成される。
【０００９】
本件開示の１個又は複数個の例証的実施形態に係る方法が開示される。ある例証的実施形態に係る方法は、一組の集光光学系によりサンプルから照明を集光するステップを有する。また、ある例証的実施形態に係る方法は、集光された照明を分散素子によりスペクトル分散させるステップであり、その分散素子が上記一組の集光光学系の瞳面に配置されたものであるステップを有する。また、ある例証的実施形態に係る方法は、集束素子のアレイを有するレンズアレイ上にその瞳面の像を生成するステップを有する。また、ある例証的実施形態では、集光されスペクトル分散された一組の照明同士を結合することでその瞳面の像を形成させる。また、ある例証的実施形態に係る方法は、集光された照明をアレイ状パターンの態で分布させるステップを有する。
【００１０】
以下の如き添付図面を参照することで、本件技術分野に習熟した者（いわゆる当業者）には、本件開示の多様な長所をより良好に理解頂けよう。
【図面の簡単な説明】
【００１１】
【図１】本件開示の１個又は複数個の実施形態に係るハイパースペクトル計量システムの概念図である。
【図２】本件開示の１個又は複数個の実施形態に係るハイパースペクトル計量システムの概念図であり、そのハイパースペクトルイメージングサブシステムの拡大図を含む図である。
【図３】図２の一部分の拡大図であり、本件開示の１個又は複数個の実施形態に従い、レンズアレイによる瞳面内のサンプル輻射のセグメント化を描いた図である。
【図４】本件開示の１個又は複数個の実施形態に従い、レンズアレイ上での瞳面像の形成を描いた模式図である。
【図５】本件開示の１個又は複数個の実施形態に従い、図４に描かれたレンズアレイによる検出器上でのサンプル輻射の分布例を描いた模式図である。
【図６】本件開示の１個又は複数個の実施形態に係るプラズマセル内対流制御方法にて実行される諸ステップを描いたフロー図である。
【発明を実施するための形態】
【００１２】
以下、添付図面に描かれている被開示主題を詳細に参照することにする。本件開示を、ある種の実施形態及びそれらの具体的特徴との関連で具体的に図示及び記述してある。本願中で説明された実施形態は限定ではなく例証と見なされるべきである。いわゆる当業者なら直ちに察せられるように、本件開示の神髄及び技術的範囲から離隔することなく形態及び細部に様々な変形及び修正を施すことができる。
【００１３】
図１〜図６全体を通じ、本件開示の１個又は複数個の実施形態に係るハイパースペクトルイメージング計量システム及び方法が開示されている。本件開示の諸実施形態は、複数波長に係る複数枚の計量画像を単一の検出器上で同時計測するハイパースペクトル計量システムを指向している。本件開示の他の諸実施形態は、その計量システムの瞳面（例．対物レンズの後焦点面、回折面等）に係るスペクトル分解照明を計測することを指向している。更なる諸実施形態は、その瞳面に係る照明を複数波長に亘り補間することにより、サンプル由来光の角度分布に係るスペクトル分解照明の同時計測を実現することを、指向している。
【００１４】
ここでご認識頂けるように、スキャタロメトリ計量システムによれば、通常、サンプルからの散乱、反射又は回折光のパターンを計測及び分析することで、そのサンプルの性質を１個又は複数個解明することができる。更に、そのサンプルの像に代え及び／又は加え散乱、反射又は回折光のパターンを計測することができる。注目されるのは、光学システムが、通常、像面及び瞳面という２個の相反的な平面を有することである。像面（例．視野面でもよいし像面に対し共役な任意の平面でもよい）はサンプルの像に対応付けうる面である。ひいては、そのサンプル上の特定点から任意角度で発せられた光を、像面内の対応する特定点にイメージングすることができる。逆に、そのサンプル上のどの個所であれそのサンプルから特定角度で発せられた光を、瞳面（或いはその瞳面に対し共役な任意の平面）内の特定点にイメージングすることができる。この構成によれば、瞳面における光の空間的分布を、そのサンプルから集光された光の角度分布に対応付けることができる。
【００１５】
同じくご認識頂けるように、その瞳面を、サンプルから集光する光学素子（例．対物レンズ等）の後焦点面に対応付けることができる。例えば、多数の対物レンズによりその後焦点面（例．瞳面に対応するそれ）に開口絞りを設けることで、そのシステム内を伝搬する光の角度的拡がり即ち数値開口をこの回折面内に限定することができる。本件開示の目的に鑑み、瞳面、後焦点面及び回折面なる語を互換的に用いることにする。とはいえ、それら瞳面、後焦点面及び回折面の所在についての上掲の記述は専ら例証目的で提示されたものであり、限定として解されるべきではないことを、注記しておく。
【００１６】
加えて、光の瞳面内分布は照明の波長により変わりうる。例えば、サンプル上フィーチャにより、第１波長を含む照明が第１角度分布をなし散乱、反射及び／又は回折され、且つ第２波長を含む照明が第２角度分布をなし散乱、反射及び／又は回折される、といったことがありうる。ご認識頂けるように、特定の諸波長を含む照明に係る輻射（例．スキャタロメトリ信号）の瞳面内分布パターンは、他に対するより、サンプル特性（例．サンプル上フィーチャのサイズ、形状又は分布）の偏差に対し敏感になりうる。従って、瞳面に係る照明を複数波長に亘り同時計測することが有益たりうる。本件開示の諸実施形態は、計量システムの瞳面に係るスペクトル分解照明を計測するハイパースペクトルイメージングシステムを指向している。本件開示のある種の実施形態は、その瞳面を複数セグメントに分割し、各セグメントから検出器上へとスペクトル分散照明を差し向けることを指向している。この構成によれば、瞳面からの照明に係るデータを複数波長に亘り同時計測することができる。本件開示のある種の実施形態は、各セグメントのスケーリングされたスペクトル分散像を検出器上に生成することを指向している。この構成によれば、瞳面像を複数波長に亘り同時に計測することができる。
【００１７】
本件開示を通じ用いられている語「サンプル」は、大略、半導体又は非半導体素材で形成された基板のことを指している（例．ウェハ等）。そうした半導体又は非半導体素材の例としては、これに限られるものではないが単結晶シリコン、ヒ化ガリウム及び燐化インジウムがある。ウェハが１個又は複数個の層を有することもある。そうした層の例としては、これに限られるものではないがレジスト、誘電体、導体及び半導体がある。本件技術分野ではそうした層について多様な種類が知られており、本願中の用語サンプルは、いずれの種類であれその上にそうした層が形成されうるサンプルを包括する意図を有している。サンプル上に形成された１個又は複数個の層がパターンを有していても有していなくてもよい。例えば、サンプルが複数個のダイを有し各ダイが可反復パターン化フィーチャを有していてもよい。そうした素材層の形成及び処理により、最終的にはデバイスの完成品を得ることができる。多種類のデバイスをウェハ上に形成することができ、本願中の用語サンプルは、本件技術分野で既知な任意種類のデバイスがその上に作り込まれるウェハを包括する意図を有している。更に、本件開示の目的に鑑みれば語サンプル及びウェハを互換的に解すべきである。
【００１８】
図１は、本件開示の１個又は複数個の実施形態に係るハイパースペクトル計量システムの概念図である。実施形態に係るシステム１００は、複数波長を含むスペクトルコンテンツを有する照明ビーム１０４を生成するよう構成された照明源１０２と、同システム１００の瞳面に所在しておりその瞳面にて照明をスペクトル分散させるハイパースペクトルイメージングサブシステム１０６と、その瞳面に係るスペクトル分散照明を捕捉する検出器１０８とを有している。この構成によれば、本システム１００により、瞳面に係る照明を複数個の離散的スペクトル帯に亘り同時捕捉することができる。
【００１９】
また、実施形態に係る照明源１０２に、これに限られるものではないが、そのスペクトラムに複数の離散波長が含まれる多色光源、広帯域光源、波長可調光源又は波長掃引光源を、具備させることができる。更に、照明ビーム１０４のスペクトルコンテンツを、これに限られるものではないが紫外（ＵＶ）輻射、可視輻射又は赤外（ＩＲ）輻射をはじめ、指定波長の光を含むものにすることができる。また、ある実施形態によれば、照明源１０２に超広帯域（超連続体）レーザ光源を具備させることができる。
【００２０】
また、実施形態に係るシステム１００の照明路１１０は、照明ビーム１０４をサンプル１１４へと差し向ける照明光学素子１１２を１個又は複数個有している。それら照明光学素子１１２のうち１個又は複数個の光学素子を、照明ビーム１０４の修正及び／又は調光に適したものにすることができる。例えば、照明路１１０に対物レンズ１１６を設け、それにより照明ビーム１０４をサンプル１１４上の一個所又は複数個所へと集束させることができる。また、実施形態に係るシステム１００は、サンプル１１４をしっかり保持するのに適したステージアセンブリ１１８を有している。更に、そのステージアセンブリ１１８はサンプル１１４を位置決め及び／又は並進させうるものであり、それによりそのサンプル１１４の一部分又は複数部分を照明ビーム１０４に対し露出させることができる。
【００２１】
また、実施形態に係るシステム１００の集光路１２０は、サンプル１１４に発するサンプル輻射１２２を集光する光学素子を１個又は複数個有している。例えば、サンプル１１４から（例．鏡面反射、乱反射等の作用で）反射又は散乱された輻射を集光路１２０に受け入れることができる。また例えば、サンプル１１４により生成された輻射（例．照明ビーム１０４の吸収と関連するルミネッセンス等）を集光路１２０に受け入れることができる。他の例としては、サンプル１１４からの一次又は複数次回折（例．０次回折、±１次回折、±２次回折等）輻射を集光路１２０に受け入れることができる。
【００２２】
本システム１００には、必須ではないが、照明路１１０及び／又は集光路１２０双方の一部としてビームスプリッタ１２４を具備させることができる。この構成によれば、単一の光学素子（例．対物レンズ１１６）により、照明ビーム１０４をビームスプリッタ１２４内第１光路に沿いサンプル１１４へと差し向け、そのサンプル１１４からのサンプル輻射１２２をビームスプリッタ１２４内第２光路に沿い差し向けることができる。
【００２３】
また、実施形態に係るシステム１００は１個又は複数個の中継光学素子１２６を有している。例えば、その中継光学素子１２６により、瞳面又はその瞳面に対し共役な平面を、ハイパースペクトルイメージングサブシステム１０６（例．ハイパースペクトルイメージングサブシステム１０６の初段光学素子、ハイパースペクトルイメージングサブシステム１０６の入射瞳等）へと中継することができる。例えば、その中継光学素子１２６により、瞳面（例．対物レンズ１１６の後方アパーチャ、回折面等）の像を、ハイパースペクトルイメージングサブシステム１０６の初段光学素子上に生成することができる。ひいては、そのハイパースペクトルイメージングサブシステム１０６により瞳面にてサンプル輻射１２２の分布をスペクトル分散させ、その輻射を検出器１０８に差し向けることで、瞳面に係る照明をサンプル輻射１２２の複数波長に亘り同時捕捉することができる。また、実施形態に係るシステム１００は、本システム１００内を伝わるサンプル１１４の視野を制限する視野絞り１２８を有している。
【００２４】
また、実施形態に係るシステム１００は、検出器１０８に可通信結合されたコントローラ１３０を有している。例えば、そのコントローラ１３０を、これに限られるものではないが、計測結果（ターゲットの像、瞳像等）や計量指標（例．精度、ツール誘起性シフト、感度、回折効率、スルーフォーカス勾配、側壁角、限界寸法等）をはじめとするデータを受け取るよう、構成することができる。また、実施形態に係るコントローラ１３０は照明源１０２に可通信結合されている。例えば、そのコントローラ１３０により照明源１０２に指令し、一通り又は複数通りの指定波長で照明を供給させることができる。一般的に、コントローラ１３０は、本システム１００内のどの要素とも可通信結合させることができる。また、実施形態に係るコントローラ１３０は照明光学素子１１２及び／又は照明源１０２に可通信結合されているので、照明ビーム１０４及びサンプル１１４がなす入射角の調整を指令することができる。
【００２５】
また、実施形態に係るコントローラ１３０は、検出器１０８から受け取ったデータについてデータ分析を実行する。例えば、そのコントローラ１３０により、検出器１０８から受け取ったデータに基づき計量データ（例．オーバレイ計量データ、スキャタロメトリデータ等）を生成することができる。
【００２６】
図２は、本件開示の１個又は複数個の実施形態に係るハイパースペクトル計量システムの概念図であり、そのハイパースペクトルイメージングサブシステム１０６の拡大図を含んでいる。実施形態に係るハイパースペクトルイメージングサブシステム１０６は、瞳面にてサンプル輻射１２２をスペクトル分散させ、その瞳面を複数セグメントに分割し、そして各セグメントに係る照明を検出器１０８の空間分離された諸部分に差し向ける。この構成によれば、瞳面に係る照明をセグメント化し、検出器１０８上にアレイパターンの態で分布させることができる。また、実施形態に係るハイパースペクトルイメージングサブシステム１０６は、検出器１０８上のサンプル輻射１２２をスペクトル分散させることで、そのアレイパターンをスペクトル分散させる。これにより、瞳面に係り相異なる波長を有する照明により、その検出器上の相異なる個所を占拠させることができる。
【００２７】
実施形態に係るハイパースペクトルイメージングサブシステム１０６は、本システム１００の瞳面に所在する分散素子１３２を有しており、瞳面におけるサンプル輻射１２２の分布をそれによりスペクトル分散させることができる。例えば、分散素子１３２からのサンプル輻射１２２の出射角がスペクトルコンテンツ（例．波長）に従い変動するよう、その分散素子１３２により瞳面にてサンプル輻射１２２を分散させることができる。例えば、図２に示すように、三種類の個別波長を含むサンプル輻射１２２を分散素子１３２上に入射させ、個別のサンプル輻射１２２組成サブビーム（例．λ１、λ２、λ３）へと分散させることができる。
【００２８】
とはいえ、図２中に描かれ上述された個別波長に係るサブビームの叙述が、専ら例証目的で提示されていること及び限定として解すべきものではないことに、注意されたい。例えば、サンプル輻射１２２が広いスペクトル域（例．照明ビーム１０４のスペクトル域に係るそれ等）を有し、分散素子１３２により分散されたサンプル輻射１２２が（例．個別サブビームを伴わない）１本のスペクトル分散ビームを呈するように、することができる。
【００２９】
分散素子１３２は、サンプル輻射１２２にスペクトル分散を導入するのに適し本件技術分野で既知などの種類の分散素子であってもよい。例えば、分散素子１３２がサンプル輻射１２２に分散を導入する仕組みは、これに限られるものではないが、回折や屈折をはじめどのような仕組みであってもよい。更に、分散素子１３２は透過性及び／又は反射性光学素子で形成することができる。
【００３０】
実施形態に係る分散素子１３２にプリズムを具備させ、サンプル輻射１２２をスペクトルコンテンツ（例．波長）に従い異なる角度で屈折させることで、サンプル輻射１２２をスペクトル分散させることができる。また、実施形態に係る分散素子１３２に回折性光学素子を具備させ、回折を通じサンプル輻射１２２をスペクトル分散させることができる。例えば、その分散素子１３２に回折格子を具備させることで、サンプル輻射１２２のスペクトルコンテンツに従い回折角が変動するよう、瞳面にてそのサンプル輻射１２２をスペクトル分散させることができる。分散素子１３２には、これに限られるものではないが作製格子（例．ホログラフィック格子、刻線格子、ブレーズド格子等）や動的生成格子（例．音響光変調器、電気光変調器等）等、任意種類の回折格子を具備させることができる。また、実施形態に係る分散素子１３２に固体媒体を具備させ、その固体媒体内を伝搬する超音波を生成するよう構成されたトランスデューサをその固体媒体に結合させることができる。これに限られるものではないが、屈折率をはじめその固体媒体の特性を、サンプル輻射１２２がその固体媒体との相互作用を受け回折されるよう超音波を伝搬させることで、修正することができる。更に、その固体媒体内を同媒体内での音速にて超音波を伝搬させること、並びにその超音波の波長を駆動信号の周波数に加えその固体媒体内での音速に係るそれにすることができる。
【００３１】
また、実施形態に係るハイパースペクトルイメージングサブシステム１０６は、瞳面を中継する（例．ハイパースペクトルイメージングサブシステム１０６の初段光学素子に所在する瞳面、ハイパースペクトルイメージングサブシステム１０６の入射瞳等の像を中継する）ハイパースペクトル中継光学素子１３４を有している。例えば、図２に描かれているように、ハイパースペクトル中継光学素子１３４により、分散素子１３２から差し向けられてきたスペクトル分散サンプル輻射１２２のうち少なくとも一部分を集光し、瞳面の中継像を形成することができる。この構成によれば、ハイパースペクトル中継光学素子１３４により、サンプル輻射１２２のスペクトル分散成分同士を結合させて瞳面像を形成することができる。従って、サンプル輻射１２２が瞳面の中継像の個所ではスペクトル分散されていないがハイパースペクトルイメージングサブシステム１０６内のどこかではスペクトル分散されている、といったことがありうる。
【００３２】
ハイパースペクトルイメージングサブシステム１０６は、サンプル１１４に対し共役な平面（例．視野面）を有し、そのサンプル１１４のスペクトル分散像が現れているときにその平面が２個のハイパースペクトル中継光学素子１３４間に所在するものと、することができる。実施形態に係るハイパースペクトルイメージングサブシステム１０６はフィルタ（例．サンプル輻射１２２のスペクトルコンテンツを制限する空間フィルタ）を有している。例えば、そのハイパースペクトルイメージングサブシステム１０６に分光的視野絞り１３６を具備させ、サンプル輻射１２２のスペクトル的拡がりを制限することができる。また例えば、そのハイパースペクトルイメージングサブシステム１０６に部分透過性素子を具備させ、サンプル輻射１２２のスペクトルコンテンツの各部分の強度を選択的に制御することができる。例えば、サンプル輻射１２２のスペクトルコンテンツの諸部分の強度をある共通値に対し正規化し、回折性分散素子１３２の回折効率の差を補償することができる。また例えば、そのハイパースペクトルイメージングサブシステム１０６に、これに限られるものではないが空間光変調器をはじめとする動的可制御素子を具備させ、検出器１０８へと伝搬するサンプル輻射１２２のスペクトルコンテンツを動的に制御することができる。
【００３３】
また、実施形態に係るハイパースペクトルイメージングサブシステム１０６は、集束素子（例．レンズ）のアレイとして形成されたレンズアレイ１３８を有している。また、実施形態に係るレンズアレイ１３８は瞳面の中継像のところにあるので、そのレンズアレイ１３８により瞳面内のサンプル輻射１２２が複数セグメントへと分割され、またそれがそのレンズアレイ１３８における集束素子分布に従い行われる。この構成によれば、レンズアレイ１３８の各集束素子により、サンプル輻射１２２の瞳面内分布のうち特定部分を捕捉することができる。
【００３４】
図３は図２の一部分１４０の拡大図であり、本件開示の１個又は複数個の実施形態に従い、レンズアレイ１３８による瞳面内のサンプル輻射１２２のセグメント化が描かれている。実施形態に係るレンズアレイ１３８上へのサンプル輻射１２２の入射角は、そのスペクトルコンテンツ（例．波長）に従い変動する。更に、そのレンズアレイ１３８からのサンプル輻射１２２の出射角が、そのスペクトルコンテンツ（例．波長）に従い変動しうる。この構成によれば、レンズアレイ１３８の各集束素子により、瞳面の特定部分から全波長に係る照明（例．サンプル１１４からの散乱角の特定域に係るそれ）を集光し、集光した照明をスペクトル分散パターンの態で検出器１０８に差し向けることができる。
【００３５】
また、実施形態に係るレンズアレイ１３８の各集束素子は、サンプル輻射１２２を検出器１０８上へと集束させる。例えば、図３に描かれているように、レンズアレイ１３８によりサンプル輻射１２２を集束させる際に、隣り合う集束素子により集光されたサンプル輻射１２２が検出器１０８上で重なり合わないようにすることができる。
【００３６】
レンズアレイ１３８に備わる集束素子のサイズ、形状又は分布により、瞳面のセグメント化（例．各集束素子により集光されたサンプル輻射１２２の散乱角域）を制御すること並びに検出器上でのサンプル輻射１２２の分布を制御することができる。そのレンズアレイ１３８は、これに限られるものではないが一次元レンズアレイや二次元レンズアレイをはじめ、本件技術分野で既知な任意種類のレンズアレイとすることができる。実施形態の一つは、レンズアレイ１３８が一次元レンズアレイを有するものである。例えば、一次元レンズアレイを円柱レンズの一次元アレイとして形成することができる。もう一つの実施形態は、レンズアレイ１３８が二次元レンズアレイを有するものである。例えば、二次元レンズアレイに備わる集束素子を、これに限られるものではないがグリッドパターン、オフセットグリッドパターン、六角形パターン等をはじめとする二次元パターンの態で分布させることができる。更に、集束素子を規則的パターン（例．格子状配列等）の態で分布させることも不規則パターンの態で分布させることもできる。加えて、集束素子を、周期配列の態で分布させることも非周期配列（例．ランダム配列等）の態で分布させることもできる。
【００３７】
ここに、本システム１００の瞳面に所在するレンズアレイ１３８の集束素子のうち特定のものにより集光されたサンプル輻射１２２の散乱角の範囲は、その特定の集束素子のサイズ又は形状により左右されうるので、注意されたい。実施形態の一つは、レンズアレイ１３８に備わる集束素子のサイズが瞳面像の空間的拡がり全体に亘り一定なものである。この構成によれば、各集束素子により集光されるサンプル輻射１２２の散乱角域のサイズを一定にすることができる。もう一つの実施形態は、レンズアレイ１３８に備わる集束素子のサイズが瞳面像の拡がりに亘り変動しうるものである。例えば、集束素子のサイズを、瞳面の注目領域では他の領域に比べ小さくすることで、注目領域における散乱角捕捉分解能を高めることができる。
【００３８】
レンズアレイ１３８に屈折性及び／又は回折性光学素子を具備させることができる。例えば、レンズアレイ１３８に、これに限られるものではないが球形集束素子（例．一表面又は複数表面が球の一部分を含む集束素子）、フレネル集束素子又は回折性光学素子を具備させ、それらを透明素材塊内に屈折率変化領域として埋め込むことができる。
【００３９】
図４は、本件開示の１個又は複数個の実施形態に従い、レンズアレイ１３８上での瞳面像４０２の形成を描いた模式図である。実施形態に係るレンズアレイ１３８は円柱状集束素子４０４の一次元アレイを有している。例えば、図４に描かれているように、レンズアレイ１３８に、円柱状集束素子４０４同士が隣り合いピッチ４０６で以て等幅分布するアレイを、具備させることができる。この構成によれば、レンズアレイ１３８により瞳面像４０２を分割し、一群の直線セグメントにすることができる。ひいては、瞳面像４０２の各直線セグメントに、サンプル１１４により散乱されたサンプル輻射１２２のうち集束素子分離方向に沿い計測した散乱角がある範囲内のものが、含まれるようにすることができる。更に、瞳面像４０２が、その第１方向に対し垂直な第２方向に沿いセグメント化されないようにすることができる。
【００４０】
図５は、本件開示の１個又は複数個の実施形態に従い、図４に描かれたレンズアレイ１３８により形成され検出器１０８上でサンプル輻射１２２が呈する分布の例を描いた模式図である。実施形態に係るサンプル輻射１２２は三通りの個別波長（例．λ１、λ２、λ３）を含んでおり、検出器１０８上でスペクトル分散されている。例えば、サンプル輻射１２２のうち波長λ１に係り瞳面像４０２中に現れるものをセグメント化し、アレイパターン５０２として検出器１０８上に集束させることができる。こうすることで、各セグメント５０２に、サンプル輻射１２２のうち、サンプル１１４からの特定散乱角域に係るものを、含ませることができる。更に、サンプル輻射１２２のうち波長λ２に係り瞳面像４０２中に現れるものをセグメント化し、アレイパターン５０２からずれた（例．オフセット等した）アレイパターン５０４として検出器１０８上に集束させることができる。加えて、サンプル輻射１２２のうち波長λ３に係り瞳面像４０２中に現れるものをセグメント化し、アレイパターン５０２から更にずれたアレイパターン５０６として検出器１０８上に集束させることができる。この構成によれば、アレイパターン５０２，５０４，５０６を検出器１０８上で相互補間させることができる。また、実施形態によっては、図５に描かれているように、サンプル輻射１２２のスペクトル域を検出器１０８上に非重複分布の態で分布させる。例えば、各アレイパターン５０２，５０４，５０６を、ピッチ５０８を有し互いにずれているパターンとすることができる。更に、検出器１０８上でのスペクトル分散サンプル輻射１２２の空間的拡がり５１０（例．レンズアレイ１３８の集束素子のうち１個に発する全スペクトル分散波長の照明の空間的拡がり）を、そのピッチ５０８より小さくすることができる。この構成によれば、隣り合う集束素子からの照明が検出器１０８上で重なり合わないようにすることができる。
【００４１】
ここに、図５にて描かれた検出器１０８上の個別アレイパターンについての記述、並びにそれに関連する記述が、専ら例証目的で提示されたものであること並びに限定として解されるべきものではないことに、注意されたい。例えば、サンプル輻射１２２を単一のスペクトル分散アレイパターンとして分布させることができる。更に、サンプル輻射１２２のスペクトルコンテンツに連続的な波長域（例．広帯域照明源１０２等に係るそれ）が含まれている場合、そのスペクトル分散サンプル輻射１２２の空間的拡がり５１０が、そのサンプル輻射１２２の波長について、対応する連続変動的分布を呈するものになることがある。
【００４２】
更に、検出器１０８上でのサンプル輻射１２２の分布を、レンズアレイ１３８に備わる集束素子の形状、サイズ又は分布により制御しうることに、注意されたい。例えば、図５に描かれているように、円柱レンズの一次元アレイで形成されたレンズアレイ１３８により、検出器１０８上に直線状のアレイパターン（例．アレイパターン５０２）を発現させることができる。また例えば、集束素子の二次元アレイで形成されたレンズアレイ１３８により、検出器１０８上に二次元アレイパターンを発現させることができる。ある種の実施形態によれば、二次元レンズアレイ１３８を二次元分散素子１３２に結合させ、サンプル輻射１２２が検出器１０８上で二次元的にスペクトル分散されるようにすることができる。
【００４３】
また、実施形態に係る検出器１０８をレンズアレイ１３８の焦点面に配置することができる。この構成によれば、集束素子により集光されたサンプル輻射１２２のうち特定の波長に係るセグメントの幅５１２を、本システム１００により捕捉されるところのサンプル１１４の視野に関連付けることができる。更に、その幅５１２を、視野絞り（例．図１の視野絞り１２８等）により制御可能とすることができる。ひいては、その幅５１２を調整することで、サンプル輻射１２２のスペクトルコンテンツ（例．個別スペクトル域、連続スペクトル分布等）の重複を緩和することができる。
【００４４】
また、実施形態によっては、レンズアレイ１３８の各集束素子により集光されたサンプル輻射１２２が、瞳面の対応部分のスケーリング像として検出器１０８に供給される。例えば、ハイパースペクトル中継光学素子１３４、レンズアレイ１３８及び／又は他の１個又は複数個の光学素子（図示せず）により、その瞳面のセグメント化された空間分散表現を、検出器１０８へと中継することができる。また例えば、他の１個又は複数個の中継光学素子（図示せず）により、レンズアレイ１３８から検出器１０８へと瞳面を中継することができる。この構成によれば、検出器１０８により、瞳面のセグメント化、スケーリング及び補間されたインスタンス複数枚（例．サンプル輻射１２２の複数通りのスペクトル域に対応するそれ）を同時捕捉することができる。
【００４５】
また、実施形態によれば、サンプルに発する特定スペクトル域の光の角度分布を体現する瞳像を、検出器１０８のどの画素でその特定スペクトル域のアレイパターンが受光されたかを踏まえ構築することができる。例えば、瞳像に含まれアレイパターンをなす複数個のセグメントそれぞれに、瞳面の一部分からの集束照明が含まれるようにすることができる。また例えば、瞳像に含まれアレイパターンをなす複数個のセグメントそれぞれに、瞳面の一部分のスケーリング像が含まれるようにすることができる。また、実施形態によれば、瞳像複数枚からなるアレイパターン同士を検出器上で補間することができる。この構成によれば、検出器１０８により、サンプルからの照明のうち別々のスペクトル域をそれぞれ体現する瞳像複数枚を、同時捕捉することができる。
【００４６】
また、実施形態によれば、検出器１０８からの計測データを（例．コントローラ１３０等により）処理することで、計測されたアレイパターンの諸セグメントを統合（マージ）及び／又はスケーリングし、途切れのない瞳像を形成することができる。
【００４７】
ここに、瞳面内サンプル輻射１２２をセグメント化し各セグメントに属するスペクトル分散サンプル輻射１２２を検出器に差し向けることで、本システム１００における光、物理空間及び／又は計測時間の効率的利用を実現しうることに、注意されたい。例えば、集光されたサンプル輻射１２２の各波長における光強度（例．スペクトルパワー）を、検出器に最低損失で以て提供することができる。また例えば、瞳面に係るスペクトル分解照明を、その瞳面の像１枚を計測するのに必要なそれと同じ検出器エリアを用い、単一の検出器１０８により計測することができる。例えば、瞳面を（例．レンズアレイ１３８等により）セグメント化し、各セグメントに属ずるサンプル輻射１２２を検出器１０８上へと集束させることで、サンプル輻射１２２の波長毎の所要検出器エリアを減らし、検出器１０８上に空間を設けて、瞳面に係る照明の複数波長に亘る同時捕捉に役立てることができる。更に、その瞳面に係るスペクトル分解照明の同時計測により、（例．様々な照明波長に亘る瞳面像の順次捕捉等に比し）計測時間を短縮することができる。
【００４８】
翻って、図１に示す照明源１０２は、複数通りのスペクトル成分を有する照明ビーム１０４を生成するのに適し本件技術分野で既知な、いずれの照明源を有するものでもよい。例えば、照明源１０２を広いスペクトル域を有するものにし、広い波長スペクトラムに亘り瞳面に係る照明を同時捕捉するのに役立てることができる。また例えば、照明源１０２を複数域の狭いスペクトル帯を有するものにし、それら指定された照明スペクトル帯に亘り瞳面に係る照明を同時捕捉するのに役立てることができる。
【００４９】
照明源１０２は、これに限られるものではないが、白色光源（例．そのスペクトラムに可視波長が含まれる広帯域光源）、レーザ光源、アークランプ、無電極ランプ又はレーザ維持プラズマ（ＬＳＰ）光源で形成することができる。例えば、照明源１０２に超広帯域光源を具備させることができる。また例えば、照明源１０２に超広帯域レーザ光源（例．白色光レーザ光源）を具備させることができる。更に、照明ビーム１０４は、自由空間伝搬を介し送給することや光導波路（例．光ファイバ、光パイプ等）を介し送給することができる。また、実施形態によっては照明源１０２が可調照明源とされる。この構成によれば、照明ビーム１０４の輻射波長を、任意の指定輻射（例．ＵＶ輻射、可視輻射、赤外輻射等）波長にすることができる。加えて、照明ビーム１０４がどの程度の空間及び／又は時間コヒーレンスを呈していてもよい。例えばレーザ光源として構成された照明源１０２であれば、空間的及び時間的にコヒーレントな照明ビーム１０４を生成することができる。また例えば、ランプ光源として構成された照明源１０２であれば、空間的及び／又は時間的に非コヒーレントな照明ビーム１０４を生成することができる。
【００５０】
照明源１０２が照明路１１０を介しサンプルへと照明ビーム１０４を差し向ける角度は、どのような角度でもよい。照明光学素子１１２の例としては、これに限られるものではないが、１個又は複数個のレンズ、１個又は複数個の偏光子、１個又は複数個のフィルタ、１個又は複数個のビームスプリッタ、１個又は複数個の散光器、１個又は複数個のホモジナイザ、１個又は複数個のアポダイザ、１個又は複数個のビーム整形器等がある。実施形態の一つは、サンプル１１４の表面に対し垂直な入射角にて、照明源１０２がサンプル１１４へと照明ビーム１０４を差し向けるものである。もう一つの実施形態は、ある角度（例．かすめ角、４５°角等）にて照明源１０２がサンプル１１４へと照明ビーム１０４を差し向けるものである。また、実施形態によってはサンプル１１４上への照明ビーム１０４の入射角が可調とされる。例えば、照明ビーム１０４がビームスプリッタ１２４及び対物レンズ１１６内で辿る経路を調整することで、サンプル１１４上への照明ビーム１０４の入射角を制御することができる。この構成によれば、照明ビーム１０４がビームスプリッタ１２４及び対物レンズ１１６内で垂直経路を呈し、ひいては照明ビーム１０４がサンプル１１４上で垂直入射角を呈するようにすることができる。更に、ビームスプリッタ１２４上での照明ビーム１０４の位置及び／又は角度を（例．回動ミラー、空間光変調器、フリーフォーム照明源等により）修正することで、サンプル１１４上への照明ビーム１０４の入射角を制御することができる。
【００５１】
ステージアセンブリ１１８は、本件技術分野で既知ないずれのサンプルステージアーキテクチャを有していてもよい。例えば、ステージアセンブリ１１８に、これに限られるものではないがリニアステージを具備させることができる。また例えば、ステージアセンブリ１１８に、これに限られるものではないが回動ステージを具備させることができる。更に、サンプル１１４は、これに限られるものではないが半導体ウェハをはじめウェハを含むそれとすることができる。
【００５２】
更に、検出器１０８が、サンプル１１４から受光された照明を計測するのに適し本件技術分野で既知ないずれの光検出器を有していてもよいことに、注意されたい。検出器１０８の例としては、これに限られるものではないがＣＣＤ型検出器、ＴＤＩ型検出器、光電子増倍管（ＰＭＴ）、アバランシェフォトダイオード（ＡＰＤ）等がある。また、実施形態によっては、検出器１０８を、サンプル１１４に発する輻射の波長を識別するのに適する分光型検出器を有するものに、することができる。更に、これに限られるものではないが１個又は複数個のレンズ、１個又は複数個のフィルタ、１個又は複数個の偏光子、１個又は複数個のビームブロック又は１個又は複数個のビームスプリッタをはじめ、対物レンズ１１６により集光された照明を差し向け及び／又は修正する複数個の光学素子を、その集光路１２０に具備させることができる。
【００５３】
また、実施形態に係るコントローラ１３０は１個又は複数個のプロセッサ１４２を有している。また、実施形態に係る１個又は複数個のプロセッサ１４２は、メモリ１４４又は記憶媒体内に保持されている一組のプログラム命令を実行するよう、構成されている。更に、そのコントローラ１３０に１個又は複数個のモジュールを具備させ、メモリ１４４内に格納されている１個又は複数個のプログラム命令をそのモジュールに取り込み、当該１個又は複数個のプロセッサ１４２によりそのプログラム命令を実行することができる。コントローラ１３０に備わる１個又は複数個のプロセッサ１４２は、本件技術分野で既知ないずれの処理素子を有するものでもよい。その意味で、当該１個又は複数個のプロセッサ１４２は、アルゴリズム及び／又は命令を実行するよう構成されたあらゆるマイクロプロセッサ型デバイスを包含しうるものである。実施形態に係る１個又は複数個のプロセッサ１４２は、プログラムを実行するよう構成されたデスクトップコンピュータ、メインフレームコンピュータシステム、ワークステーション、イメージコンピュータ、並列プロセッサその他の任意なコンピュータシステム（例．ネットワーク接続されたコンピュータ）で構成することができ、また本件開示の随所に記載の如く本システム１００を稼働させるようそのプログラムを構成することができる。同じく認識頂けるように、語「プロセッサ」は、非一時的メモリ１４４からもたらされるプログラム命令を実行する処理素子を１個又は複数個有するデバイス全てが包括されるよう、広く定義することができる。
【００５４】
ここでご認識頂けるように、本件開示の随所に記載の諸ステップはコントローラ１３０により実行することができる。更に、コントローラ１３０を単一部材で形成することも複数部材で形成することもできる。更に、コントローラ１３０の構成部材複数個を共通ハウジング内に収容しても或いは複数個のハウジング内に収容してもよいことに、注意されたい。この要領で任意のコントローラ又は任意の組合せのコントローラを別途パッケージングし、全体システム１００への組み込みに適したモジュールにすることができる。
【００５５】
メモリ１４４は、連携する１個又は複数個のプロセッサ１４２により実行可能なプログラム命令を格納しておくのに適し本件技術分野で既知な、いずれの格納媒体を有していてもよい。例えば、メモリ１４４が非一時的記憶媒体を有していてもよい。メモリ１４４の別例としては、これに限られるものではないがリードオンリメモリ、ランダムアクセスメモリ、磁気又は光記憶デバイス（例．ディスク）、磁気テープ、固体ドラライブ等がある。更に、メモリ１４４を１個又は複数個のプロセッサ１４２と共に共通コントローラハウジング内に収容しうることに、注意されたい。実施形態によれば、メモリ１４４を、１個又は複数個のプロセッサ１４２及びコントローラ１３０の物理的位置に対しリモートに配置することができる。例えば、ネットワーク（例．インターネット、イントラネット等）を介しアクセス可能なリモートメモリ（例．サーバ）に、コントローラ１３０に備わる１個又は複数個のプロセッサ１４２がアクセスするようにしてもよい。従って、上掲の記述は本発明に対する限定として解すべきではなく、単なる例証として解すべきである。
【００５６】
翻って図２に示すように、実施形態に係る分散素子１３２は動的に構成可能なものである。この構成によれば、分散素子１３２の動作（例．分散値、特定波長の光の出射角等）を構成及び／又は指定することができる。例えば、その分散値が異なる一群の回折性光学素子（例．その直線分散値が異なる一群の回折格子等）を並進アセンブリ（図示せず）に実装することで、ハイパースペクトルイメージングサブシステム１０６の分散値を動的に修正することができる。その並進アセンブリは、ハイパースペクトルイメージングサブシステム１０６の分散素子１３２を構成するのに適し本件技術分野で既知な、いずれの種類の並進アセンブリであってもよい。例えば、その並進アセンブリを、これに限られるものではないが回動アセンブリ又はリニアトランスレータを有するものとすることができる。更に、その並進アセンブリを、手動式並進アセンブリ、動力式並進アセンブリ等を有するものとすることができる。
【００５７】
また、実施形態によっては、動的に生成された分散素子１３２（例．音響光変調器、電気光変調器等）の分散を動的に修正することができる。例えば、トランスデューサの変調周波数を動的に調整することで、分散素子１３２からのスペクトル分散サンプル輻射１２２の経路を修正することができる。
【００５８】
図６は、本件開示の１個又は複数個の実施形態に係るプラズマセル内対流制御方法６００にて実行される諸ステップを描いたフロー図である。出願人の見るところによれば、システム１００の文脈に沿い上述した諸実施形態及びその実現テクノロジについては、方法６００に敷衍しうるものと解されるべきである。とはいえ、本方法６００がシステム１００のアーキテクチャに限定されないことにも注意されたい。
【００５９】
実施形態に係る方法６００は、一組の集光光学系によりサンプルから照明を集光するステップ６０２を有している。例えば、１個又は複数個の集光光学系により、サンプルからの照明（例．サンプル輻射１２２）であり多様な散乱角を有するもの（例．サンプルにより散乱、反射及び／又は回折された照明源からの照明）を集光することができる。更に、サンプルにより集光された照明の角度分布を（例．瞳面、後焦点面、回折面等における）照明の空間的分布として体現させることができる。
【００６０】
また、実施形態に係る方法６００は、集光された照明を分散素子によりスペクトル分散させるステップ６０４を有している。例えば、分散素子を瞳面に配置するとよい。ひいては、その分散素子により、集光された照明のスペクトルコンテンツに従い瞳面をスペクトル分散することができる。
【００６１】
また、実施形態に係る方法６００は、集束素子からなるレンズアレイ上に瞳面像を生成するステップ６０６を有している。例えば、集光されスペクトル分散された照明同士を結合することで、そのレンズアレイ上に瞳面像を形成させることができる。
【００６２】
また、実施形態に係る方法６００は、集光された照明をアレイ状パターンの態で分布させるステップ６０８を有している。例えば、レンズアレイにより、集束素子の分布に従い瞳面（例．そのレンズアレイ上の瞳面像）を複数セグメントに分割することができる。ひいては、そのレンズアレイの各集束素子により瞳面の一部分を集光、分布させることで、集光された照明により（例．検出器その他の光学素子等の上に）アレイ状パターンを形成させることができる。また、実施形態ではそのアレイパターンがスペクトル分散される。例えば、各スペクトル部分（例．サンプル輻射１２２の波長）をアレイパターンに関連付けること、並びに複数個のスペクトル部分に対応するアレイパターンを空間的にずらすことができる。この構成によれば、サンプル輻射１２２に係る多様な波長に亘り、瞳面に係る照明を検出器により同時捕捉することができる。また、実施形態によっては、そのアレイパターンの各構成要素（例．所与スペクトル部分に係るアレイパターン）を、瞳面の一部分のスケーリング像を含むものとすることができる。更に、瞳面に係る照明（例．瞳面等）の像複数枚を同時捕捉することができる。
【００６３】
本願記載の主題は、ときに、他部材内に組み込まれ又は他部材に接続・連結された様々な部材を以て描出されている。ご理解頂けるように、それら描写されているアーキテクチャは単なる例示であり、実のところは、他の多くのアーキテクチャを実施し同じ機能を実現することが可能である。概念的には、どのような部材配置であれ同じ機能が実現されるなら、その部材配置は、実質的に「連携」することで所望機能を実現しているのである。従って、本願中のいずれの二部材であれ、ある特定の機能を実現すべく組み合わされているものは、所望機能が実現されるよう互いに「連携」していると見なせるのであり、アーキテクチャや介在部材の如何は問われない。同様に、いずれの二部材であれそのように連携しているものは所望機能を実現すべく互いに「接続・連結され」又は「結合され」ているとも見ることができ、またいずれの二部材であれそのように連携させうるものは所望機能を実現すべく互いに「結合可能」であるとも見ることができる。結合可能、の具体例としては、これに限られるものではないが、物理的に相互作用可能な及び／又は物理的に相互作用する諸部材、及び／又は無線的に相互作用可能な及び／又は無線的に相互作用する諸部材、及び／又は論理的に相互作用する及び／又は論理的に相互作用可能な諸部材等がある。
【００６４】
思うに、本件開示及びそれに付随する数多くの長所については上掲の記述から理解頂けるであろうし、開示されている主題から離隔することなく或いはその主要な長所全てを損なうことなく諸部材の形態、構成及び配置に様々な改変を施せることも明らかであろう。上述の形態は単なる説明用のものであり、後掲の特許請求の範囲の意図はそうした改変を包括、包含することにある。更に、ご理解頂けるように、本件開示は別項の特許請求の範囲によって定義されるものである。
【図１】
2019504325.tif 000003
【図２】
2019504325.tif 000004
【図３】
2019504325.tif 000005
【図４】
2019504325.tif 000006
【図５】
2019504325.tif 000007
【図６】
2019504325.tif 000008
【国際調査報告】
2019504325.tif 000009
2019504325.tif 000010